(57)【要約】【課題】  電源コンセントにおいて、幼児が様々な悪戯によって感電や火災等の危険に見回れることがある。従来これらのことを解決するものに種種のコンセントカバーがあるが、これらお取外すことが比較的容易であることで安全にかけるものであった。よって、これらのこと解決して、より良い安全なコンセントカバーを提供するものである。【解決手段】  電源コンセントよりコンセントカバーを取外すと前記コンセントカバー内より警報音を発して注意を促すことを特徴とする。【選択図】図１
2008226804.tif 000002
【特許請求の範囲】
【請求項１】
コンセントカバー内に電池を電源とした音発生装置と凸状のプッシユスイッチを備えて、前記凸状のプッシュスイッチを絶縁材の係止脚側に設けたことを特徴とする警報音を発するコンセントカバー。
【請求項２】
前記コンセントカバー内の前記音発生装置をオン、オフする凸状のプッシユスイッチと手動式スイッチを回路において直列接続に設けたことを特徴とする請求項１記載の警報音を発するコンセントカバー。
【発明の詳細な説明】
【技術分野】
【０００１】  本発明は、警報音を発する装置を備えたコンセントカバーに関する。
【背景技術】
【０００２】  従来、コンセントやテーブルタップのプラグ挿入孔にプラグを差込まれていない状態に、幼い子供の悪戯によって感電や火災の危険や不都合を生じるものであった。【０００３】  そこで、これらのことを解決するものに、以下のようなものが広報によって知られている。
従来には、絶縁のプラグ差込みをコンセントの差込口に差して、覆うことができるコンセントカバーが提供されている。（例えば特許文献１）
また、壁面のコンセントのベースプレートにヒンジによって開閉自在に取付けられ、カバーはスプリングによって自動的に閉めることができる。開く動作は、解除レバーの操作によっておこなうものである。（例えば特許文献２）【０００４】
【特許文献１】  特開２００３−３２８３１号広報
【特許文献２】  特開２００６−２３６６７７号広報
【発明の開示】
【発明が解決しようとする課題】
【０００５】  しかしながら、保護者の目の届かない時、コンセントカバー等を容易に抜いたり、また開くことができるものであるから安全な状態とは言えないものである。【０００６】  そこで本発明は、コンセントカバー内に音を発する装置を備えることで、電源コンセントのプラグ差込孔よりコンセントカバーを取外すと警報音を発することで、周囲に注意を促し知らせるものである。
【課題を解決するための手段】
【０００７】  上記目的を達成するために、本発明はコンセントカバーの絶縁材による係止脚を電源コンセントのプラグ差込孔に差込む装置で、前記コンセントカバー内に電池を電源とした音発生装置と凸状のプッシユスイッチを備えて、前記凸状のプッシユスイッチの凸状を前記係止脚側に設けて、プラグ差込孔より係止脚を取外すと、音を発することを特徴とする。【０００８】  また、前記コンセントカバー内の音発生装置をオン、オフする凸状のプッシユスイッチと直列に手動式スイッチを設ける。手動式スイッチによって、電源の供給をオフとすることで、取外しても警報音の音を止めることができることを特徴とする。
【発明の効果】
【０００９】  本発明は、以上説明したように構成されているので、以下に記載されているような効果を奏する。【００１０】  請求項１記載の発明によれば、幼い子供が電源コンセントよりコンセントカバーを取外すとブザー音を発して、周囲の人に異常を知らせることから感電などの危険を回避できるものである。【００１１】  請求項２記載の発明によれば、電源コンセントより前記コンセントカバーを取外すことでブザー音を発するが、凸状のプッシユスイッチと直列接続に手動式スイッチを設けたことで、鳴り続けるブザー音を止めることができて、取外し後の処置に便利である。
【発明を実施するための最良の形態】
【００１２】  本発明の実施の形態について図面を参照して説明する。
図１〜図４及び回路図５を参照して、本発明に係る警報音を発するコンセントカバーの第１実施例における図である。
１は絶縁材であるプラスチック製のコンセントカバー本体で、３は前記コンセントカバーの正面側に設けた絶縁体の係止脚である。２は係止脚側に設けた凸状のプッシユスイッチである。凸状のプッシユスイッチ２で出ている状態のときはオン、押すとオフの動作をする機能である。
なを、凸状のプッシユスイッチ２の後部に４のスプリングを設けて凸状のプッシユスイッチ２の凸状を前に押出す作用が働くものである。
回路図５において、５はコンセントカバー１に内蔵したブザー、及び６はボタン電池である。８は壁面の電源コンセント、９はプラグ差込孔を示す。７はコンセントカバー１側面に形成した溝状の凹部である。凹部７は電源コンセント８より取外すとき、凹部７を指先でつまみながらおこなうものである。
また図４に示す、１０は警報音を発するコンセントカバー仮止め具本体、１１は仮止め差込孔、１２は壁面などに固定する螺子穴である。
よって、コンセントカバー仮止め具は、凸状のコンセントカバー１を電源コンセント８より取外した後、収めてブザー音を止める装置である。【００１３】  したがって、利用するにあたり未利用の電源コンセント８に安全な状態を維持するため、コンセントカバー１の絶縁材の係止脚３をプラグ差込孔９に挿入する、挿入した絶縁材の係止脚２は電極辺のバネ力によって、電源コンセント８の表面に密着することから凸状のプッシユスイッチ２の凸状が内部に押されることで、プッシユスイッチ２の電極が離れてスイッチ動作がオフとなり、ブザー音を止めることができるものである。【００１４】  また、コンセントカバー２を取外すとき凹部を指先でつまみながら引くことで取外すことができる。したがって凸状のプッシユスイッチ２がスプリング４の力によって前に押し出されることで、プッシユスイッチ２の電極が接触してオンとなりブザー音が発するが、即座にコンセントカバー２をコンセントカバー仮止め具１１に装着することで、再びブザー音が止まる。またコンセントカバー仮止め具１１はやや高めの位置に設置しておくものである。
このようなことから、幼い子供が悪戯によって取外したりすると、即座にブザー音を発して周囲の人に知らしめるものである。【００１５】  また、図６、図７、回路図８、及び図９、回路図１０、は第２実施例を示すものである。【００１６】  図６、図７、回路図８において、２１は凸状のプッシユスイッチ２Ａにロック式スイッチ２１Ａを、凸状の同軸上に構成した手動ロック式プッシユスイッチである。
回路においては、プッシユスイッチ２Ａとロック式スイッチ２１Ａを直列に接続した構成である。
２２は前記手動ロック式プッシユスイッチ２１の丸型の一端に欠き部を設けた形状の鍵形状孔である。【００１７】  よって、コンセントカバー１を電源コンセント８のプラグ挿入孔９に挿入するとき、ロック式スイッチ２１Ａを図７のように、オンの方向に回す（このとき、ブザー音は鳴り始める）ことで鍵形状孔２２の欠き部に合うことで、凸状の部分が引き込む状態となる。したがって絶縁材係止脚３がプラグ差込孔９に挿入すると、凸状のプッシユスイッチ２Ａが引き込みオフとなる。ここでブザー音が止まる。【００１８】  一方、コンセントカバー１を電源コンセント８より取外すと、プッシユスイッチ２Ａがスプリング４の反発力によって押し出されて、オンとなりブザー音を発する。
ここで、ブザー音を止めるとき手動ロック式スイッチ２Ｂを回してオフとすることでブザー音を止めることができる。【００１９】  また、図９、回路図１０に示すように、３１はプッシユ式補助スイッチである。プッシユ式補助スイッチ３１は凸状のプッシユスイッチ２Ｃと直列接続した回路構成で、プッシユ式補助スイッチ３１は押している間のみオフとなる機能にとする事で、次のような動作をする。【００２０】  よって、前記に述べたように、電源コンセント８のプラグ差込孔９に装着した状態から取外すとき、指でプッシユ式補助スイッチ３１のボタンを押しながら取外すことでブザー音を止めながら外すことができるものである。この状態でコンセントカバー仮止め具１０に装着することで、音を発せずにおこなうことができるものである。
【図面の簡単な説明】
【００２１】
【図１】  本発明の第一実施例を示す図で、コンセントカバーの斜視図と電源コンセントである。
【図２】  本発明の第一実施例の挿入側である正面図である。
【図３】  本発明の第一実施例の平面図である。
【図４】  本発明のコンセントカバーを仮止めするキャップである仮止め具の斜視図である。
【図５】  本発明の第一実施例の回路図である。
【図６】  本発明の第二実施例の手動ロック式プッシユスイッチのコンセントカバーの止面図である。
【図７】  図６における第二実施例の手動ロック式プッシユスイッチの外形の拡大斜視図である。
【図８】  図６における第二実施例の回路図である。
【図９】  本発明の第二実施例の補助スイッチを設けたコンセントカバーの正面図である。
【図１０】  図９における第二実施例の回路図である。
【符号の説明】
【００２２】１、１Ａ、１Ｂはコンセントカバー        ２、２Ａ、２Ｂは凸状のプッシユスイッチ
３、３Ａ、３Ｂは係止脚                  ４はスプリング
５、５Ａ、５Ｂはブザー                  ６、６Ａ、６Ｂはボタン電池
７は凹部                                ８は電源コンセント
９はプラグ差込孔                        １０はコンセントカバー仮止め具
１１は仮止め差込孔                      １２は螺子穴
２１は手動ロック式プッシユスイッチ      ２１Ａはロック式スイッチ
３１はプッシユ式補助スイッチ            ２２は鍵形状穴
【図１】
2008226804.tif 000003
【図２】
2008226804.tif 000004
【図３】
2008226804.tif 000005
【図４】
2008226804.tif 000006
【図５】
2008226804.tif 000007
【図６】
2008226804.tif 000008
【図７】
2008226804.tif 000009
【図８】
2008226804.tif 000010
【図９】
2008226804.tif 000011
【図１０】
2008226804.tif 000012